(57)【要約】【課題】両面光出力型バックライトモジュールの厚さがを薄く、かつ輝度を向上する。【解決手段】  エッジライト式の光源１１から導光板１２に光を入射する両面光出力型バックライトモジュールにおいて、光源１１の光線を前後両側の第一表示パネル２１と第二表示パネル２２上に導く前記導光板１２は、該第一表示パネル２１との間に下部拡散シート１３とレンズシート１４が設けられるが、前記導光板１２の第二表示パネル２２側の一面は網点状面１２１とすることにより、光源からの光を乱反射して第二表示パネル側に向かわせ、下部拡散シート１３と反射シートに代替させる。これら下部拡散シート１３と反射シートの省略によって、導光効率を向上すると共に薄型化、軽量化を達成することができる。なお、網点状面の構造は、表示パネルの両面に対して適用することができる。【選択図】  図２
0003108185.tif 000002
【実用新案登録請求の範囲】
【請求項１】
第一表示パネルと第二表示パネルとの間に設置される両面光出力型バックライトモジュールの構造において、
前記バックライトモジュールは、少なくとも一つの光源と導光板を有し、前記導光板は光源からの光線を第一表示パネルと第二表示パネルに方向に導き、且つ導光板と第一表示パネルとの間には下部拡散シートとレンズシートが設けられており、
前記導光板は、第二表示パネルの表面に近接して配置されると共に、該第二表示パネルの表面に相対する面は網点状面からなり、前記導光板と第二表示パネルとの間にはレンズシートが設けられてなることにより、該網点状面により拡散シートを代替してなる
ことを特徴とする両面光出力型バックライトモジュールの構造。
【請求項２】
第一表示パネルと第二表示パネルとの間に設置される両面光出力型バックライトモジュールの構造において、
前記バックライトモジュールは、少なくとも一つの光源と導光板を有しており、前記導光板は光源からの光線を第一表示パネルと第二表示パネルに方向に導き、前記導光板と第一表示パネル、第二表示パネルとの間にはそれぞれレンズシートが設けられており、
前記導光板の両表面は、網点状面であり、該網点状面により拡散シートを代替してなることを特徴とする両面光出力型バックライトモジュールの構造。
【請求項３】
前記光源は、冷陰極蛍光灯（ＣＣＦＬ）であることを特徴とする請求項１又は２記載の両面光出力型バックライトモジュールの構造。
【請求項４】
前記光源は、発光ダイオード（ＬＥＤ）であることを特徴とする請求項１又は２記載の両面光出力型バックライトモジュールの構造。
【請求項５】
前記光源は、エレクトロルミネセントデバイス（ＥＬＤ）であることを特徴とする請求項１又は２記載の両面光出力型バックライトモジュールの構造。
【請求項６】
前記第一表示パネルと第二表示パネルは、光学シートによって構成されていることを特徴とする請求項１又は２記載の両面光出力型バックライトモジュールの構造。
【請求項７】
前記第一表示パネルと第二表示パネルは、遮光シートによって密封されていることを特徴とする請求項１又は２記載の両面光出力型バックライトモジュールの構造。
【請求項８】
前記レンズシートの外側には上部拡散シートが増設されていることを特徴とする請求項１又は２記載の両面光出力型バックライトモジュールの構造。
【請求項９】
前記レンズシートの外側には反射式の偏光シートが増設されていることを特徴とする請求項１又は２記載の両面光出力型バックライトモジュールの構造。
【請求項１０】
前記導光板と第一表示パネルとの間のレンズシートは、少なくとも二枚以上設置されていることを特徴とする請求項１又は２記載の両面光出力型バックライトモジュールの構造。
【請求項１１】
前記導光板と第二表示パネルとの間のレンズシートは、少なくとも二枚以上設置されていることを特徴とする請求項１又は２記載の両面光出力型バックライトモジュールの構造。
【請求項１２】
前記導光板と第一表示パネルとの間の下部拡散シートは、少なくとも二枚以上設置されていることを特徴とする請求項１又は２記載の両面光出力型バックライトモジュールの構造。
【請求項１３】
前記網点状面は、Ｖ−ＣＵＴ形であることを特徴とする請求項１又は２記載の両面光出力型バックライトモジュールの構造。
【請求項１４】
前記網点状面は、Ｕ形であることを特徴とする請求項１又は２記載の両面光出力型バックライトモジュールの構造。
【請求項１５】
前記網点状面は、円弧形であることを特徴とする請求項１又は２記載の両面光出力型バックライトモジュールの構造。
【請求項１６】
前記網点状面は、拡散点であることを特徴とする請求項１又は２記載の両面光出力型バックライトモジュールの構造。
【考案の詳細な説明】
【技術分野】
【０００１】
本考案は両面光出力型バックライトモジュールの構造に係り、特に両面液晶ディスプレイに使用されるバックライトモジュールに関わり、提供する輝度が比較的高く、両面共に大型である液晶パネルに使用することができ、且つ厚さを比較的薄くできる等の機能を有する両面光出力型バックライトモジュールに関わる。
【背景技術】
【０００２】
デジタル製品の普及と無線通信の発展につれて、ディスプレイは以前の陰極線管（ＣＲＴ）のものから各種の軽くて薄い携帯に便利なものへと進化し、その中で液晶ディスプレイ（ＬＣＤ）は軽くて薄く、省電力、低電磁波等の優れた点を有しており、各種電子製品上への応用に適しており、各種電子製品上のディスプレイの主流となっている。
【０００３】
液晶ディスプレイ装置で使用される液晶パネルは発光機能を有しておらず、そのため液晶パネル上に光を供給する必要があり、この光を供給をバックライトモジュールによって行っている。
バックライトモジュールは直下式とエッジライト式に分けることができ、一部の両面表示が必要な液晶ディスプレイ（例えば携帯電話の両面ディスプレイ）にはエッジライト式バックライトモジュールが利用されて、全体の厚さを低減しており、図１に示すように、前記バックライトモジュールは側面に光源が設けられており、導光板は側面の光源から入射される光線を均一に前後両側に導き、両面液晶ディスプレイのメインパネルとサブパネルは光源からの光線を得ることができ、導光板とメインパネルとの間には下部拡散シート、レンズシートが設けられており、前記下部拡散シートは光線分布をさらに均一にし、メインパネル上に光線反射点の影が現れないようにしており、前記レンズシートの主な作用は集光であり、バックライトモジュールから生成される輝度を増強し、前記導光板とサブ表示パネルとの間には下部拡散シート、レンズシート等が設けられており、その作用はメイン表示パネル間の各部材と同等であり、サブ表示パネル側の導光板と下部拡散シートとの間には半透光性の反射シートが増設されており、前記反射シートは光源の一部光線をメイン表示パネル方向へと反射させることができ、メイン表示パネルは一般のサブ表示パネルと比較して大きく、必要な輝度も比較的高いので反射シートを増設してメイン、サブ表示パネルの光線比率を調整する。
【０００４】
しかし、この種の公知構造の両面光出力型バックライトモジュールは製品の厚さと省電力のために、提供できる輝度には限度があり、光線が反射シート、下部拡散シート等を通過するので輝度が低下し、両面共に大型であるパネルのメイン画面が必要とする輝度を提供することができず、ただ比較的大きいメイン画面と比較的小さいサブ画面に光線を提供することができるのみであり、その厚さも比較的厚く、軽さ、薄さを求める消費者を満足させることができず、全体の構造から言うと、実用性に欠け、改良の必要がある。
【特許文献１】特開平３−１９１３２９号公報
【考案の開示】
【考案が解決しようとする課題】
【０００５】
本考案の主な目的は、公知構造の両面光出力型バックライトモジュールの厚さが大きく、輝度が不足するという欠点を改善することができる両面光出力型バックライトモジュールの構造を提供することである。
【課題を解決するための手段】
【０００６】
前記課題を解決するために、
請求項１の考案は、バックライトモジュールからなる両面光出力型バックライトモジュールの構造において、
前記バックライトモジュールは、第一表示パネルと第二表示パネルとの間に設置されており、前記バックライトモジュールは少なくとも一つの光源と導光板を有しており、前記導光板は光源からの光線を第一表示パネルと第二表示パネルに方向に導き、且つ導光板と第一表示パネルとの間には下部拡散シートとレンズシートが設けられており、
前記導光板は、第二表示パネルの表面に接近しており、一方の表面は網点状面であり、前記導光板と第二表示パネルとの間にはレンズシートが設けられており、導光板の網点状面が拡散シートに替わることにより光度低下を軽減し、バックライトモジュールの厚さを減少させることを特徴とする両面光出力型バックライトモジュールの構造である。
【０００７】
請求項２の考案は、バックライトモジュールからなる両面光出力型バックライトモジュールの構造において、
前記バックライトモジュールは、第一表示パネルと第二表示パネルとの間に設置されており、前記バックライトモジュールは少なくとも一つの光源と導光板を有しており、前記導光板は光源からの光線を第一表示パネルと第二表示パネルに方向に導き、前記導光板と第一表示パネル、第二表示パネルとの間にはそれぞれレンズシートが設けられており、
前記導光板の両表面は、網点状面であり、導光板の網点状面が拡散シートに代わって光度低下を軽減し、バックライトモジュールの厚さを減少させることを特徴とする両面光出力型バックライトモジュールの構造である。
【０００８】
請求項３の考案は、前記光源は、冷陰極蛍光灯（ＣＣＦＬ）であることを特徴とする請求項１又は２記載の両面光出力型バックライトモジュールの構造である。
【０００９】
請求項４の考案は、前記光源は、発光ダイオード（ＬＥＤ）であることを特徴とする請求項１又は２記載の両面光出力型バックライトモジュールの構造である。
【００１０】
請求項５の考案は、前記光源は、エレクトロルミネセントデバイス（ＥＬＤ）であることを特徴とする請求項１又は２記載の両面光出力型バックライトモジュールの構造である。
【００１１】
請求項６の考案は、前記第一表示パネルと第二表示パネルは、光学シートによって構成されていることを特徴とする請求項１又は２記載の両面光出力型バックライトモジュールの構造である。
【００１２】
請求項７の考案は、前記第一表示パネルと第二表示パネルは、遮光シートによって密封されていることを特徴とする請求項１又は２記載の両面光出力型バックライトモジュールの構造である。
【００１３】
請求項８の考案は、前記レンズシートの外側には上部拡散シートが増設されていることを特徴とする請求項１又は２記載の両面光出力型バックライトモジュールの構造である。
【００１４】
請求項９の考案は、前記レンズシートの外側には反射式の偏光シートが増設されていることを特徴とする請求項１又は２記載の両面光出力型バックライトモジュールの構造である。
【００１５】
請求項１０の考案は、前記導光板と第一表示パネルとの間のレンズシートは、少なくとも二枚以上設置されていることを特徴とする請求項１又は２記載の両面光出力型バックライトモジュールの構造である。
【００１６】
請求項１１の考案は、前記導光板と第二表示パネルとの間のレンズシートは、少なくとも二枚以上設置されていることを特徴とする請求項１又は２記載の両面光出力型バックライトモジュールの構造である。
【００１７】
請求項１２の考案は、前記導光板と第一表示パネルとの間の下部拡散シートは、少なくとも二枚以上設置されていることを特徴とする請求項１又は２記載の両面光出力型バックライトモジュールの構造である。
【００１８】
請求項１３の考案は、前記網点状面は、Ｖ−ＣＵＴ形であることを特徴とする請求項１又は２記載の両面光出力型バックライトモジュールの構造である。
【００１９】
請求項１４の考案は、前記網点状面は、Ｕ形であることを特徴とする請求項１又は２記載の両面光出力型バックライトモジュールの構造である。
【００２０】
請求項１５の考案は、前記網点状面は、円弧形であることを特徴とする請求項１又は２記載の両面光出力型バックライトモジュールの構造である。
【００２１】
請求項１６の考案は、前記網点状面は、拡散点であることを特徴とする請求項１又は２記載の両面光出力型バックライトモジュールの構造である。
【考案の効果】
【００２２】
本考案の両面光出力型バックライトモジュールによって下部拡散シートを一枚減らすことができた以外に、網点面が反射シートの代わりをし、光線の輝度の低下を軽減することができるため、両面液晶ディスプレイモジュールに十分な輝度を提供することができ、輝度が不足するために液晶ディスプレイモジュールを大きいのが一つ、小さいのが一つという形態にする必要がなく、確実に輝度の増強、体積の縮小、コストの減少を達成することができた。
【考案を実施するための最良の形態】
【００２３】
図２、３に示すように、バックライトモジュールの構成は、二つの液晶ディスプレイモジュール間に設置されており、前記液晶ディスプレイモジュールは光学膜を採用して構成することができ、必要に応じて遮光シート（図なし）によって密封し、光線が外部に漏れるのを防ぐ。前記前端の液晶ディスプレイモジュールは第一表示パネル２１、後端のディスプレイモジュールは第二表示パネル２２であって、前記バックライトモジュールは十分な輝度を提供することができるので、前記第一表示パネル２１と第二表示パネル２２はバックライトモジュールの輝度が不足するために大型のが一つ、小型のが一つというような形態にする必要がない。前記バックライトモジュール内には少なくとも一つのエッジライト式の光源１１（光源は、冷陰極蛍光灯（ＣＣＦＬ）、発光ダイオード（ＬＥＤ）、エレクトロルミネセントディスプレイ（ＥＬＤ）にすることができる）が設けられており、導光板１２の一側は前記光源１１に近接しており、前記光源１１の光線を導光板１２の前後両端の第一表示パネル１１と第二表示パネル２２上に導くことができ、前記導光板１２の第二表示パネル２２に近い表面は網点状面１２１（前記網点状面は、Ｖ−ＣＵＴ形、Ｕ形、円弧形、拡散点等の形態にすることができる）となっており、導光板１２と第一表示パネル２１との間には、順次下部拡散シート１３とレンズシート１４が設けられており、光源１１の光線が拡散シート１３に進入し、第一表示パネル２１方向に導かれる時、先ず下部拡散シート１３を通過し、前記下部拡散シート１３の作用は光線を拡散させることであり、光線の均一度を調整することであり、第一表示パネル２１上に光線反射点の影が現れるのを防ぎ、光線は下部拡散シート１３から放出された後、レンズシート１４に進入し、前記レンズシート１４の作用は光の方向を修正することであり、元々方向性に優れなかった光線を集光する効果を有しており、第一表示パネル２１が必要とする輝度を増加させることができる。導光板１２と第二表示パネル２２との間にはレンズシート１４が増設されているが、下部拡散シート１３は設けられておらず、前記導光板１２の第二表示パネル２２に面する網点状面１２１が下部拡散シート１３と同様の効果を提供し、光線拡散の均一化を行い、第二表示パネル２２上に光線反射点の陰が現れるのを避けることができ、光線は導光板１２の網点状面１２１から射出された後、レンズシート１４内に入射され、レンズシート１４によって集光され、第二表示ディスプレイ２２が必要な輝度に増強される。
【００２４】
本考案の両面光出力型バックライトモジュールの構造は下部拡散シート１３を一枚減らすことができる以外に、網点状面１２１が反射シートの代わりをし、光線の輝度の低下を軽減することができ、両面液晶ディスプレイモジュールに十分な輝度を提供することができ、輝度が不足するために液晶ディスプレイモジュールを大型のが一つ、小型のが一つという形態にする必要がなく、確実に輝度の増強、体積の縮小、コストの減少を達成することができる。
【００２５】
図４は、本考案の両面光出力型バックライトモジュールの構造の第二実施例であり、主な構成は第一実施例と同様である。異なる部分としては、本考案の両面光出力型バックライトモジュールの適用範囲をさらに広くするために、レンズシート１４の外側に上部拡散シート１５が増設されており、この上部拡散シート１５によってニュートンリングの発生を防ぎ、液晶モジュールの表示効果をさらに高めている。
【００２６】
図５は、本考案の両面光出力型バックライトモジュールの構造の第三実施例であり、主な構成は第一実施例と同様である。異なる部分としては、前記導光板１２の第一表示パネル２１に近い表面も網点状面１２１となっており、下部拡散シート１３の代わりをしており、前記バックライトモジュールをさらに軽く、薄くしている。
【００２７】
図６は、本考案の両面光出力型バックライトモジュールの構造の第四実施例であり、主な構成は第三実施例と同様である。異なる部分としては、本考案の両面光出力型バックライトモジュールの適用範囲をさらに広くするために、レンズシート１４の外側に上部拡散シート１５が増設されており、前記上部拡散シート１５によってニュートンリングの発生を防ぎ、液晶ディスプレイモジュールの表示効果をさらに高めている。
【図面の簡単な説明】
【００２８】
【図１】公知構造の両面光出力型バックライトモジュールの断面図である。
【図２】本考案の両面光出力型バックライトモジュールの断面図である。
【図３】本考案の両面光出力型バックライトモジュールの導光板部分の拡大図            である。
【図４】本考案の第二実施例を示す断面図である。
【図５】本考案の第三実施例を示す断面図である。
【図６】本考案の第四実施例を示す断面図である。
【符号の説明】
【００２９】
１１    光源
１２    導光板
１２１  網点状面
１３    下部拡散シート
１４    レンズシート
１５    上部拡散シート
２１    第一表示パネル
２２    第二表示パネル
９０    光源
９１    導光板
９２    メイン表示パネル
９３    サブ表示パネル
９４    下部拡散シート
９５    レンズシート
９６    反射シート
【図１】
0003108185.tif 000003
【図２】
0003108185.tif 000004
【図３】
0003108185.tif 000005
【図４】
0003108185.tif 000006
【図５】
0003108185.tif 000007
【図６】
0003108185.tif 000008